(57)【特許請求の範囲】
【請求項１】
移動局から受信した情報をバックホールフレームで送信すべきか否かを復号の測定基準に基づいて判定する工程と、
前記バックホールフレームで前記情報を送信しない旨の判定をした場合には、基地局送受信機とネットワークコントローラとの間で通信されるべきパケットフレームのためのヘッダを基地局送受信機で制御する工程であって、前記ヘッダの一部は前記フレームをデータパッケージを含まないものとして識別させる、前記パケットフレームのためのヘッダを基地局送受信機で制御する工程と、
構築されたヘッダを備えたフレームをデータパッケージをつけずにネットワークコントローラに送信する工程とからなる、少なくとも１つの移動局と通信するための基地局送受信機がネットワークコントローラと通信する無線システムのための方法。
【請求項２】
復号の測定基準が一定の閾値を超過した場合には、前記移動局から前記基地局によって受信された前記情報が除去され、ヘッダ情報は指定されたビットパターンにより置換される請求項１に記載の方法。
【請求項３】
移動局から受信されたフレームのためのＣＲＣが失敗した場合には、前記移動局から前記基地局によって受信された前記情報が除去され、ヘッダ情報は指定されたビットパターンにより置換される請求項１に記載の方法。
【請求項４】
前記復号の測定基準は、フィンガロックの有無、シンボルエラーレート、ビットエラーレート、信号／干渉比、及び信号／雑音比のうちのいずれか１つから選択される、請求項１に記載の方法。
【発明の詳細な説明】
【０００１】
（本発明の技術分野）
本発明はパケット伝送に関する。より詳細には、本発明は、携帯電話のベーストランシーバステーションとネットワークスイッチとの間のパケット伝送に関する。
【０００２】
（本発明の背景技術）
ベーストランシーバステーション（ＢＴＳ）や無線ネットワークコントローラ（ＲＮＣ）から、符号分割多元接続（ＣＤＭＡ）システムなどの無線セルラデータ通信方式で通信されたパケット又はフレームは、制御情報及び品質情報を備えたヘッダ、及びデータを含むペイロードを含んでいる。これらの通信は、一般にバックホールといわれている。これらのシステムにおいてローディングは、データ、制御メッセージ或いは、移動局又はベーストランシーバステーションの操作に関する他の情報を含み得る。データが存在しない場合、パケット又はフレームのデータペイロード部はフィルビットからなるのでもよい。ＲＮＣはこれらのフィルビットを無視する。
【０００３】
バックホールの負荷はシステム全体の容量を制限し得る。多くの場合において、バックホールの負荷は問題とならない。しかし、データの需要が増加し、容量が既存のシステムでの限界に到達するにつれて、バックホールの負荷はシステムの容量を制限し得る。従って、通信に悪影響を与えずに負荷を減少させる方法が必要とされている。
【０００４】
（図面の詳細な説明）
無線システムは、少なくとも１つの移動局と通信するための基地局送受信機を有し、基地局送受信機はネットワークコントローラと通信する。基地局は、基地局送受信機とネットワークコントローラとの間で通信されるべきパケットフレームのヘッダを制御する。ここで、ヘッダの一部は、フレームをデータパッケージを含まないものとして識別する。ヘッダ部のデータ・ビットは、データパッケージを含まないフレームのための、所定のビットパターンを含んでいてもよい。復号の測定基準が一定の閾値を超過した場合には、移動局から基地局によって受信された情報が除去され、ヘッダ情報は指定されたビットパターンにより置換される。移動局から受信されたフレームのためのＣＲＣが失敗した場合には、移動局から基地局によって受信された情報が除去され、ヘッダ情報は指定されたビットパターンにより置換される。
【０００５】
図１にセルラシステム１００が示される。図に示されたセルラシステム１００は、複数のベーストランシーバステーション（ＢＴＳ）１０２〜１０４を有する符号分割多元接続システムである。ベーストランシーバステーションは、それぞれの無線通信パスにより通信する移動局ＭＳ１０８と通信している。当業者は、システムには典型的に３つを超えるベーストランシーバ、及び１つを超える移動局があることを認識する。ベース送信ステーション１０２〜１０３は、移動交換システムネットワーク１１０に接続される。ベーストランシーバステーションを制御し、調整し、初期化する役割を果たすインフラ（ネットワークコントローラ）は、中央基地局コントローラ（ＣＢＳＣ）、無線ネットワークコントローラ（ＲＮＣ）、或いは、選択／分配ユニット（ＳＤＵ）として一般に公知である。このタイプのディジタルセルラシステムは公知である。システム制御及び発信の通信の両方のために、通常操作中にＢＴＳとネットワークコントローラとの間でバックホール通信が形成される。
【０００６】
パケット、回線、或いは音声データについては、ＢＴＳ復調器がＭＳからの信号を復号しない場合には、ＢＴＳからＲＮＣへとパケットペイロードを送信する必要がない。１つのビット、或いは割当てられていないビットパターンがパケット２００（図２）のヘッダに加えられることも想定される。好適には、ベーストランシーバステーションとネットワークコントローラとの間の通信用のヘッダにデータペイロードが空であることを示すビット・フィールドがある。あらゆるヘッダを使用可能であるが、パケット２００では、「信号／熱雑音比」オクテットなどの信号誤差レート（ＳＥＲ）のためのヘッダ中のビットが使用されている。データペイロード（「逆リンク情報」）が存在する場合、このフィールドは信号品質を示すために使用される。ペイロードが存在しない場合、フィールドはペイロードが存在しないことを示す所定のビットパターン（或いは、オクテットのうちの１ビットがフラグとなり得る）を送信すべく、有利に使用することが可能である。
【０００７】
操作においてＢＴＳ１０２〜１０４は、ＲＮＣ１１０に信号を送信する際に、所定のビット又はパターンを、選択されたフィールドに挿入する。ＲＮＣは、ヘッダ中の所定のパターン又はフラグビットが、本明細書において「逆リンク情報」というペイロードの存在の有無を通知するか否かチェックする。ペイロードが存在する場合、それは通常の方式で処理される。ペイロードが存在しない場合には、ペイロードが全てフィルビットである場合と同一の方式でフレームが処理される。
【０００８】
当業者は、データペイロードがパケット又はフレームから取り除かれた場合にはデータペイロードに周期冗長検査（ＣＲＣ）が存在しなくてもよいことを認識する。ＣＲＣがヘッダのために設けられ得ること、或いはペイロードのＣＲＣを使用可能であることが想定される。ペイロードが除去されたところでペイロードＣＲＣが使用される場合、ヘッダについてのみ計算される。
【０００９】
従って、ペイロードが付随していないことを示すために、パケットヘッダのフレームの種類のビット・フィールドのビットパターンを選択することが可能であることがわかる。代替手段として、パケットヘッダにおいて新しいフィールドを使用することが可能である。
【００１０】
本発明は、ＢＴＳによりユーザに割当てられたいずれのフィンガもロックされていない場合に、フレーム間隔についてのフィラーデータを無視しないことにより、逆バックホール帯域幅をより効率的に使用すべく有利に利用できる。既存のシステムでフィルデータが送信される場合の例は、ある移動局（又はエンドユーザの機器）の通信リンクに対応するチャネル復調器（フィンガ）のいずれもが、「ロック」にない場合である。これは、使用されるより弱いレグからより強いレグへのソフトハンドオフ中に生じることがある。符号分割多元接続（ＣＤＭＡ）セルラシステムのベーストランシーバステーション（ＢＴＳ）での通常操作は、移動局と通信中の使用されている基地局で受け取られた信号パスにフィンガを割当てることを必要とする。フィンガ割当ては、アクティブな疑似ノイズ（ＰＮ）オフセット、及びＰＮオフセットとなり得る候補に対して、各サーチ時間の間隔後に適用される１組のフィンガ管理ルールによって決定される。アクティブとはフィンガ（復調器）がそのときオフセットに割当てられていることを意味する。ＰＮオフセット候補は、ある信号パスのエネルギーがあるサーチ閾値を超過する場合にサーチャによって決定される。アクティブなＰＮオフセットはそれらに割当てられたフィンガを有して復調され、それに続けて柔軟に合成、及び復号される。
【００１１】
アクティブなＰＮオフセットに割当てられたフィンガのエネルギーが「ロック」閾値を下回るときには、そのフィンガについては復調されず、ダイバーシチ合成においてもはや使用されないように、フィンガは割当てが解除される。割当てが解除されたフィンガはその後、より有望なＰＮ候補が存在する場合はそれに割当てることが可能である。サーチャがフィンガマネージャに報告すべき十分なエネルギーを備えたＰＮオフセットを検知せず、かつ既存の全てのアクティブな（ロックされた）フィンガがそれぞれのエネルギーがロック閾値以下に低下したためロックから解除された場合には復調は起こり得ない。この時点において、ペイロードフレームでＲＮＣへと放棄されたデータは所定のパターン（例えば、全てゼロ）に設定される。
【００１２】
従って、復号される有効なビットがないためにフィンガロックがないときには、あるフレーム間隔のペイロード部を無視する必要はない。不要なペイロードの排除はバックホール帯域幅の必要条件を縮小する。（バックホール帯域幅とは、ベーストランシーバステーションと、典型的にはＣＢＳＣ、ＲＮＣ、或いはＳＤＵとして公知である、ベーストランシーバステーションを制御、調整、及び初期化する役割を果たすインフラとの間にて必要な通信帯域幅である。）従って、ヘッダのみがデータペイロードを有さずにＲＮＣに戻される状況を示唆する、キャリア間のソフトハンドオフが本発明により提供される。
【００１３】
この概念は、いくつかのフィンガが依然としてロックされていたとしてもフレームがＢＴＳで削除される場合（ＣＲＣが失敗した場合など）にまで拡張可能である。ペイロード又は削除されたフレームを送信すべきか否かの決定は、シンボルエラーレート（ＳＥＲ）に基づく閾値、或いは何らかの類似したフレーム品質の測定基準の使用によって柔軟な決定とすることが可能である。いくつかの削除されたフレームが依然として有益な情報を有しており、対応するペイロードがＲＮＣで必要であるためである。データを送信するべきか否かの決定のために使用可能な品質フレームの測定基準の例には、推測された信号／干渉比（ＳＩＲ）、信号／雑音比（ＳＮＲ）、又はＥｂ／Ｎｔ等などの全体的な測定基準、或いはビットエネルギー測定基準（ＢＥＲ）が含まれる。
【００１４】
従って、パケットのデータペイロード部の欠如を通知すべく、新しいビットを割当てるため、或いは、パケットヘッダの中にあるフィールドの割当てられていないビットパターンを使用するためのシステムが示される。これは、平均バックホール帯域幅の縮小を可能とする。ある使用されているベーストランシーバステーション（ＢＴＳ）において、ユーザに割り付けられたフィンガのいずれも、ロックされた状態にない場合に特に有利である。しかし、キャリア／オペレータの識別において高いＳＥＲを有する削除されたフレームに対しても拡張することが可能である。
【図面の簡単な説明】
【図１】  セルラ通信システムを示すブロック図。
【図２】  図１による通信システムにおけるベーストランシーバステーションとネットワークとの間に通信されたフレーム又はパケットを示す概念図。
【図１】
0004659318.tif 000002
【図２】
0004659318.tif 000003